(57)【要約】【課題】無線ＬＡＮシステムにおいて、無線区間制御装置（ＣＷＣ）を介さずに端末と通信相手との間の通信（データ）を中継する通信方法を得ること。【解決手段】本発明にかかる通信方法は、ＣＷＣ（１）が基地局（２）のサービス提供域に存在する端末（３）に対する認証処理を実行する無線通信アクセスシステムにおいて、基地局（２）が、受信フレームの種別を判定する処理と、判定結果が管理フレームの場合にＣＷＣ（１）または端末（３）に対して当該管理フレームを転送する処理と、判定結果がデータフレームの場合に自局のサービス提供域に存在する端末（３）とその通信相手との間の通信を中継する処理と、を実行可能とし、ＣＷＣ（１）が、基地局（２）から接続要求の管理フレームを受信した場合に接続要求元の端末（３）に対する認証処理を実行する処理を実行可能とする。【選択図】        図１
2006304117.tif 000002
【特許請求の範囲】
【請求項１】
配下の全基地局を一元管理する無線区間制御装置が、前記基地局のサービス提供域に存在する端末に対する認証処理を実行する無線通信アクセスシステムにおける通信方法であって、
前記基地局は、
受信フレームの種別を判定するフレーム判定ステップと、
前記判定結果が管理フレームの場合に、前記無線区間制御装置または前記端末に対して当該管理フレームを転送する管理フレーム転送ステップと、
前記判定結果がデータフレームの場合に、自局のサービス提供域に存在する端末とその通信相手との間の通信を中継するデータフレーム転送ステップと、
を含み、
前記無線区間制御装置は、
基地局から接続要求の管理フレームを受信した場合に、接続要求元の端末に対する認証処理を実行する認証ステップ、
を含むことを特徴とする通信方法。
【請求項２】
前記管理フレーム転送ステップにおいては、
前記判定結果が接続要求の管理フレームの場合に、接続要求元の端末の接続状態（未接続または接続中）を確認し、未接続の状態であれば前記無線区間制御装置による認証が必要であると判断し、前記無線区間制御装置に対して接続要求の管理フレームを転送することを特徴とする請求項１に記載の通信方法。
【請求項３】
前記管理フレーム転送ステップにおいては、
前記判定結果が接続応答の管理フレームの場合に、その内容に応じて接続要求元の端末の接続状態（未接続または接続中）を更新し、当該接続応答の管理フレームを接続要求元の端末に対して転送することを特徴とする請求項１または２に記載の通信方法。
【請求項４】
前記認証ステップにおいては、
基地局から接続要求の管理フレームを受信した場合に、接続要求元の端末が接続可能な端末として登録されていれば接続可能であることを示す接続応答の管理フレームを、登録されていなければ接続不可であることを示す接続応答の管理フレームを、それぞれ前記基地局に対して送信することを特徴とする請求項１、２または３に記載の通信方法。
【請求項５】
前記無線区間制御装置は、端末とその端末上で動作するアプリケーション種別とを関連付けて登録し、また、基地局とその基地局において接続を受け入れるアプリケーション種別とを関連付けて登録し、
前記認証ステップにおいては、基地局から接続要求の管理フレームを受信した場合に、接続要求元の端末および当該管理フレームを送信した基地局が登録され、かつ当該端末のアプリケーション種別と当該基地局のアプリケーション種別とが一致していれば、接続可能であることを示す接続応答の管理フレームを当該基地局に対して送信し、一方、基地局から接続要求の管理フレームを受信した場合であっても、一致していない場合や接続要求元の端末および当該管理フレームを送信した基地局が登録されていない場合は、接続不可であることを示す接続応答の管理フレームを当該基地局に対して送信することを特徴とする請求項１、２または３に記載の通信方法。
【請求項６】
前記無線区間制御装置は、基地局とその基地局において接続を受け入れるアプリケーション種別とを関連付けて登録し、
接続要求元の端末は、自端末で動作するアプリケーション種別を取得し、さらに、当該アプリケーション種別を付与した接続要求の管理フレームを自端末が属する基地局に対して送信し、
前記認証ステップにおいては、基地局から接続要求の管理フレームを受信した場合に、当該管理フレームを送信した基地局が登録され、かつ受信した管理フレームに付与されたアプリケーション種別と当該基地局のアプリケーション種別とが一致していれば、接続可能であることを示す接続応答の管理フレームを当該基地局に対して送信し、一方、基地局から接続要求の管理フレームを受信した場合であっても、一致していない場合や当該管理フレームを送信した基地局が登録されていない場合は、接続不可であることを示す接続応答の管理フレームを当該基地局に対して送信することを特徴とする請求項１、２または３に記載の通信方法。
【請求項７】
前記無線区間制御装置は、基地局とその基地局において接続を受け入れるアプリケーション種別とを関連付けて登録し、
前記データフレーム転送ステップにおいては、受信したデータフレームのアプリケーション種別を判定し、アプリケーション種別の変化を検出した場合に、当該判定結果であるアプリケーション種別を付与したアプリ判定要求の管理フレームを前記無線区間制御装置に対して送信し、
前記認証ステップにおいては、基地局からアプリ判定要求の管理フレームを受信した場合に、当該管理フレームを送信した基地局が登録され、かつ受信した管理フレームに付与されたアプリケーション種別と当該基地局のアプリケーション種別とが一致していれば、接続継続可能であることを示す接続応答の管理フレームを当該基地局に対して送信し、一方、基地局からアプリ判定要求の管理フレームを受信した場合であっても、一致していない場合や当該管理フレームを送信した基地局が登録されていない場合は、接続継続不可であることを示す接続応答の管理フレームを当該基地局に対して送信することを特徴とする請求項１、２または３に記載の通信方法。
【請求項８】
前記無線区間制御装置は、基地局とその基地局において接続を受け入れるアプリケーション種別とを関連付けて登録し、
データフレーム送信元の端末は、当該データフレームのアプリケーション種別を判定し、アプリケーション種別の変化を検出した場合に、当該判定結果であるアプリケーション種別を付与したアプリ判定要求の管理フレームを、自端末が属する基地局に対して送信し、
前記管理フレーム転送ステップにおいては、前記判定結果がアプリ判定要求の管理フレームの場合に、当該管理フレームを前記無線区間制御装置に対して転送し、
前記認証ステップにおいては、基地局からアプリ判定要求の管理フレームを受信した場合に、当該管理フレームを送信した基地局が登録され、かつ受信した管理フレームに付与されたアプリケーション種別と当該基地局のアプリケーション種別とが一致していれば、接続継続可能であることを示す接続応答の管理フレームを当該基地局に対して送信し、一方、基地局からアプリ判定要求の管理フレームを受信した場合であっても、一致していない場合や当該管理フレームを送信した基地局が登録されていない場合は、接続継続不可であることを示す接続応答の管理フレームを当該基地局に対して送信することを特徴とする請求項１、２または３に記載の通信方法。
【請求項９】
前記無線区間制御装置は、基地局とその基地局において接続を受け入れるアプリケーション種別とを関連付けて登録し、
前記端末は、アクティブに動作するアプリケーションが変更された場合に、変更後のアプリケーション種別を付与したアプリ判定要求の管理フレームを、自端末が属する基地局に対して送信し、
前記管理フレーム転送ステップにおいては、前記判定結果がアプリ判定要求の管理フレームの場合に、当該管理フレームを前記無線区間制御装置に対して転送し、
前記認証ステップにおいては、基地局からアプリ判定要求の管理フレームを受信した場合に、当該管理フレームを送信した基地局が登録され、かつ受信した管理フレームに付与されたアプリケーション種別と当該基地局のアプリケーション種別とが一致していれば、接続継続可能であることを示す接続応答の管理フレームを当該基地局に対して送信し、一方、基地局からアプリ判定要求の管理フレームを受信した場合であっても、一致していない場合や当該管理フレームを送信した基地局が登録されていない場合は、接続継続不可であることを示す接続応答の管理フレームを当該基地局に対して送信することを特徴とする請求項１、２または３に記載の通信方法。
【請求項１０】
前記無線区間制御装置は、基地局とその基地局において接続を受け入れるアプリケーション種別とを関連付けて登録し、当該登録情報が書き換えられる度に、ビーコン付加情報の内容を指示する管理フレームを基地局に対して送信し、
前記管理フレーム転送ステップにおいては、前記判定結果がビーコン付加情報の内容を指示する管理フレームの場合に、当該ビーコン付加情報を付与したビーコンフレームを、一定周期でサービス提供域に存在する全ての端末に対して送信し、
前記端末は、受信したビーコン付加情報に含まれるアプリケーション種別と自端末が送受するアプリケーション種別とを比較し、一致する場合に、ビーコンフレーム送信元の基地局への接続が可能であると判定し、接続要求の管理フレームを送信し、一方、一致しない場合に、他のビーコンフレームの受信を待つことを特徴とする請求項１、２または３に記載の通信方法。
【請求項１１】
自局のサービス提供域に存在するすべての端末と、前記端末に対する認証処理を実行する無線区間制御装置と、ともに無線通信アクセスシステムを構成する基地局において、
受信フレームの種別を判定するフレーム種別判定手段と、
前記判定結果が管理フレームの場合に、前記無線区間制御装置または前記端末に対して当該管理フレームを転送する管理フレーム転送手段と、
前記判定結果がデータフレームの場合に、自局のサービス提供域に存在する端末とその通信相手との間の通信を中継するデータフレーム転送手段と、
を備えることを特徴とする基地局。
【請求項１２】
さらに、端末の接続状態（未接続または接続中）を管理する端末状態管理手段、
を備え、
前記管理フレーム転送手段は、前記判定結果が接続要求の管理フレームの場合に、前記端末状態管理手段に接続要求元の端末の接続状態を問い合わせて、その応答が未接続の状態であれば、前記無線区間制御装置による認証が必要であると判断し、前記無線区間制御装置に対して接続要求の管理フレームを転送することを特徴とする請求項１１に記載の基地局。
【請求項１３】
前記管理フレーム転送手段は、前記判定結果が接続応答の管理フレームの場合に、その内容に応じて前記端末状態管理手段にて管理する接続要求元の端末の接続状態を更新し、当該接続応答の管理フレームを接続要求元の端末に対して転送することを特徴とする請求項１２に記載の基地局。
【請求項１４】
さらに、端末の接続状態（未接続または接続中）を管理する端末状態管理手段、
を備え、
前記管理フレーム転送手段は、前記判定結果が接続応答の管理フレームの場合に、その内容に応じて前記端末状態管理手段にて管理する接続要求元の端末の接続状態を更新し、当該接続応答の管理フレームを接続要求元の端末に対して転送することを特徴とする請求項１１に記載の基地局。
【請求項１５】
前記データフレーム転送手段が、受信したデータフレームのアプリケーション種別を判定し、その結果、アプリケーション種別の変化を検出した場合、
前記管理フレーム転送手段は、前記アプリケーション種別を付与したアプリ判定要求の管理フレームを前記無線区間制御装置に対して送信することを特徴とする請求項１１〜１４のいずれか一つに記載の基地局。
【請求項１６】
前記管理フレーム転送手段は、端末から受信したフレームの判定結果がアプリ判定要求の管理フレームの場合、当該管理フレームを前記無線区間制御装置に対して転送することを特徴とする請求項１１〜１４のいずれか一つに記載の基地局。
【請求項１７】
前記管理フレーム転送手段は、前記無線区間制御装置から受信したフレームの判定結果がビーコン付加情報の内容を指示する管理フレームの場合、当該ビーコン付加情報を付与したビーコンフレームを、一定周期でサービス提供域に存在する全ての端末に対して送信することを特徴とする請求項１１〜１４のいずれか一つに記載の基地局。
【請求項１８】
自装置の管理下にありかつ自装置を介さずにデータフレームを中継する基地局と、前記基地局のサービス提供域に存在するすべての端末と、ともに無線通信アクセスシステムを構成する無線区間制御装置において、
基地局から接続要求の管理フレームを受信した場合に、接続要求元の端末に対する認証処理を実行する端末認証手段と、
無線アクセスサービスを利用可能な端末を管理する接続受入端末管理手段と、
を備え、
前記端末認証手段は、前記認証処理として、前記接続受入端末管理手段に接続要求元の端末が接続可能な端末として登録されているかどうかの問い合わせを行い、その応答が接続可能であれば、接続可能であることを示す接続応答の管理フレームを、その応答が接続不可であれば、接続不可であることを示す接続応答の管理フレームを、それぞれ前記基地局に対して送信することを特徴とする無線区間制御装置。
【請求項１９】
自装置の管理下にありかつ自装置を介さずにデータフレームを中継する基地局と、前記基地局のサービス提供域に存在するすべての端末と、ともに無線通信アクセスシステムを構成する無線区間制御装置において、
基地局から接続要求の管理フレームを受信した場合に、接続要求元の端末に対する認証処理を実行する端末認証手段と、
端末とその端末上で動作するアプリケーション種別とを関連付けて管理し、また、基地局とその基地局において接続を受け入れるアプリケーション種別とを関連付けて管理する接続受入端末管理手段と、
を備え、
前記端末認証手段は、前記認証処理において、接続要求元の端末および接続要求の管理フレームを送信した基地局が登録され、かつ当該端末のアプリケーション種別と当該基地局のアプリケーション種別とが一致していれば、接続可能であることを示す接続応答の管理フレームを当該基地局に対して送信し、一方、前記認証処理において、基地局から接続要求の管理フレームを受信した場合であっても、一致していない場合や接続要求元の端末および接続要求の管理フレームを送信した基地局が登録されていない場合は、接続不可であることを示す接続応答の管理フレームを当該基地局に対して送信することを特徴とする無線区間制御装置。
【請求項２０】
自装置の管理下にありかつ自装置を介さずにデータフレームを中継する基地局と、前記基地局のサービス提供域に存在するすべての端末と、ともに無線通信アクセスシステムを構成する無線区間制御装置において、
基地局から接続要求の管理フレームを受信した場合に、接続要求元の端末に対する認証処理を実行する端末認証手段と、
基地局とその基地局において接続を受け入れるアプリケーション種別とを関連付けて管理する接続受入端末管理手段と、
を備え、
前記端末認証手段は、前記認証処理において、接続要求の管理フレームを送信した基地局が登録され、かつ当該管理フレームに付与されたアプリケーション種別と当該基地局のアプリケーション種別とが一致していれば、接続可能であることを示す接続応答の管理フレームを当該基地局に対して送信し、一方、前記認証処理において、一致していない場合や接続要求の管理フレームを送信した基地局が登録されていない場合は、接続不可であることを示す接続応答の管理フレームを当該基地局に対して送信することを特徴とする無線区間制御装置。
【請求項２１】
自装置の管理下にありかつ自装置を介さずにデータフレームを中継する基地局と、前記基地局のサービス提供域に存在するすべての端末と、ともに無線通信アクセスシステムを構成する無線区間制御装置において、
基地局から接続要求の管理フレームを受信した場合に、接続要求元の端末に対する認証処理を実行する端末認証手段と、
基地局とその基地局において接続を受け入れるアプリケーション種別とを関連付けて管理する接続受入端末管理手段と、
を備え、
前記端末認証手段は、基地局からアプリ判定要求の管理フレームを受信した場合に、当該管理フレームを送信した基地局が登録され、かつ当該管理フレームに付与されたアプリケーション種別と当該基地局のアプリケーション種別とが一致していれば、接続継続可能であることを示す接続応答の管理フレームを当該基地局に対して送信し、一方、基地局からアプリ判定要求の管理フレームを受信した場合であっても、一致していない場合や当該管理フレームを送信した基地局が登録されていない場合は、接続継続不可であることを示す接続応答の管理フレームを当該基地局に対して送信することを特徴とする無線区間制御装置。
【請求項２２】
自装置の管理下にありかつ自装置を介さずにデータフレームを中継する基地局と、前記基地局のサービス提供域に存在するすべての端末と、ともに無線通信アクセスシステムを構成する無線区間制御装置において、
基地局から接続要求の管理フレームを受信した場合に、接続要求元の端末に対する認証処理を実行する端末認証手段と、
基地局とその基地局において接続を受け入れるアプリケーション種別とを関連付けて管理し、当該登録情報が書き換えられる度に、前記端末認証手段にビーコン付加情報の内容を指示する接続受入端末管理手段と、
を備え、
前記端末認証手段は、前記ビーコン付加情報の内容を付与した管理フレームを基地局に対して送信することを特徴とする無線区間制御装置。
【請求項２３】
配下の全基地局を一元管理する無線区間制御装置と、当該無線区間制御装置を介さずにデータフレームを中継する基地局と、ともに無線通信アクセスシステムを構成する前記基地局のサービス提供域に存在する端末において、
アプリケーション種別を付与した管理フレームを前記基地局に対して送信することを特徴とする端末。
【請求項２４】
配下の全基地局を一元管理する無線区間制御装置と、当該無線区間制御装置を介さずにデータフレームを中継する基地局と、ともに無線通信アクセスシステムを構成する、前記基地局のサービス提供域に存在する端末において、
前記基地局からアプリケーション種別が付与されたビーコンフレームを一定周期で受信した場合、受信したビーコンフレームに含まれるアプリケーション種別と自端末が送受するアプリケーション種別とを比較し、一致する場合に、ビーコンフレーム送信元の基地局への接続が可能であると判定し、接続要求の管理フレームを送信し、一方、一致しない場合に、他のビーコンフレームの受信を待つことを特徴とする端末。
【発明の詳細な説明】
【技術分野】
【０００１】
本発明は、無線通信アクセスシステムにおける通信方法に関するものであり、特に、端末の認証機能を実装しかつ配下の基地局を一元管理する無線区間制御装置、を備えた無線通信アクセスシステムにおける通信方法に関するものである。
【背景技術】
【０００２】
以下、従来技術について説明する。無線ＬＡＮシステムにおいて、ワイヤレスコントローラ（ＷＣ）は、無線ＬＡＮスイッチとも呼ばれ、接続管理，認証等の機能を実装し、配下の無線基地局（以下、基地局と呼ぶ）を一元管理している。これにより、主に無線送受機能を受け持つ基地局と多様な機能を有するＷＣとの組合せにおいて、システムのセキュリティの確保や拡張性を実現していた（例えば、非特許文献１）。また、下記非特許文献１においては、ＷＣによって、端末局が移動する際の送受データの連続性（ハンドオーバー）を実現する方法についても提案されている。
【０００３】
【非特許文献１】日経コミュニケーション  2005年3月1日号、日経ＢＰ社、P128〜129
【発明の開示】
【発明が解決しようとする課題】
【０００４】
しかしながら、従来技術においては、ＷＣが、アクセス網と他網との間で基地局が送受する全てのユーザデータを中継しているため、ＷＣに伝送負荷が集中し、無線アクセスシステムとしてのスループットがＷＣの性能により制限される、という問題があった。また、ＷＣが高負荷に耐えられるように処理速度性能の高い内部構成とすると、システムコストが増大する。一方で、小規模アクセスシステムへ適用する場合であっても、ＷＣに一定の処理速度性能を確保する必要がある。
【０００５】
また、ＩＥＥＥ８０２．１１において規定された従来の無線アクセスシステム（無線ＬＡＮシステム）においては、ユーザデータの種別に応じたサービス品質（ＱｏＳ）を確保することができない、という問題があった。また、ＩＥＥＥ８０２．１１ｅにてＱｏＳをサポートする拡張がなされたが、旧来のＩＥＥＥ８０２．１１に準拠した端末とＩＥＥＥ８０２．１１ｅ準拠の端末が混在する無線アクセスシステムにおいては、所定のＱｏＳを確保することができない、という問題があった。
【０００６】
本発明は、上記に鑑みてなされたものであって、セキュリティの確保や拡張性を実現しつつ、無線アクセスシステムとしてのスループットの向上、およびシステムコストの削減を実現する通信方法を得ることを目的とする。また、無線アクセスシステムにおける無線通信区間において所定のＱｏＳを確保する通信方法を得ることを目的とする。
【課題を解決するための手段】
【０００７】
上述した課題を解決し、目的を達成するために、本発明にかかる通信方法は、配下の全基地局を一元管理する無線区間制御装置が、前記基地局のサービス提供域に存在する端末に対する認証処理を実行する無線通信アクセスシステムにおける通信方法であって、前記基地局は、受信フレームの種別を判定するフレーム判定ステップと、前記判定結果が管理フレームの場合に、前記無線区間制御装置または前記端末に対して当該管理フレームを転送する管理フレーム転送ステップと、前記判定結果がデータフレームの場合に、自局のサービス提供域に存在する端末とその通信相手との間の通信を中継するデータフレーム転送ステップと、を含み、前記無線区間制御装置は、基地局から接続要求の管理フレームを受信した場合に、接続要求元の端末に対する認証処理を実行する認証ステップ、を含むことを特徴とする。
【発明の効果】
【０００８】
この発明によれば、基地局が、端末から受信したフレームの種別を判定し、たとえば、管理フレームの場合は、無線区間制御装置に対してその管理フレームを転送し、一方で、データフレームの場合は、無線区間制御装置を介さずに端末または通信相手に対してデータフレームを中継することとした。これにより、無線区間制御装置は、ユーザデータの伝送負荷を負うことなく、配下の基地局を一元管理することができる。さらに、無線アクセスシステムのスループットを、無線区間制御装置の処理速度性能に依存することなく規定することができる。また、無線区間制御装置の処理速度性能を下げてシステムコストを削減することも可能となる。
【発明を実施するための最良の形態】
【０００９】
以下に、本発明にかかる通信方法、基地局、無線区間制御装置および端末の実施の形態を図面に基づいて詳細に説明する。なお、この実施の形態によりこの発明が限定されるものではない。
【００１０】
実施の形態１．
図１は、本発明にかかる通信方法を実現する無線アクセスシステムの実施の形態１の構成例を示す図である。図１において、本実施の形態の無線アクセスシステムは、本発明にかかる無線区間制御装置として動作し、無線アクセスサービスを提供する制御プレンワイヤレスコントローラ（ＣＷＣ）１と、複数の無線基地局（ＡＰ）２と、各基地局２に属して無線アクセスサービスを利用する複数の端末３と、から構成されている。端末３は、各基地局２のＡＰサービス提供域に存在するときに無線アクセスサービスを利用して他網の通信相手と通信を行うことができる。
【００１１】
また、図２は、上記ＣＷＣ１の構成例を示す図であり、ＣＷＣ装置１は、接続受入端末管理部１１と、アクセス網受信部１２と、端末認証部１３と、アクセス網送信部１４と、を備えている。
【００１２】
また、図３は、上記ＡＰ２の構成例を示す図であり、ＡＰ２は、無線ＬＡＮ受信部２１と、上りフレーム種別判定部２２と、上りデータフレーム転送部２３と、上り管理フレーム転送部２４と、アクセス網送信部２５と、端末状態管理部２６と、無線ＬＡＮ送信部２７と、下り管理フレーム転送部２８と、下りデータフレーム転送部２９と、下りフレーム種別判定部３０と、アクセス網受信部３１と、を備えている。
【００１３】
また、図４は、上記端末３の構成例を示す図であり、端末３は、アプリケーション４１と、データフレーム生成部４２と、管理フレーム生成部４３と、無線ＬＡＮ送信部４４と、接続状態管理部４５と、管理フレーム受信部４６と、データフレーム受信部４７と、フレーム種別判定部４８と、無線ＬＡＮ受信部４９と、を備えている。
【００１４】
ここで、上記無線アクセスシステムを構成する各装置の動作を、図面を用いて詳細に説明する。まず、端末３がＡＰ２に接続するときに行う管理フレームの送受信動作について説明する。
【００１５】
図５は、接続要求，接続応答等の管理フレームがＡＰ２を介して端末３とＣＷＣ１との間で送受される場合のシーケンスの一例を示す図である。なお、前提として、ＣＷＣ１の接続受入端末管理部１１が持つ接続受入端末識別子テーブルに、無線アクセスサービスを利用可能な端末の識別子を保持しておく。図６は、ＣＷＣ１の接続受入端末管理部１１が持つ接続受入端末識別子テーブルの構成例を示す図である。
【００１６】
この状態で、端末３は、ＡＰサービス提供域に入ると、ＡＰ２が送信する管理フレームの一種であるビーコンフレームを受信する。ビーコンフレームは、無線ＬＡＮ受信部４９，フレーム種別判定部４８，管理フレーム受信部４６を介して接続状態管理部４５へ送られる。接続状態管理部４５は、ビーコンフレームの到着をもってＡＰ２に対する接続シーケンスを行う必要があると判断し、接続要求の管理フレームの生成を管理フレーム生成部４３に対して指示する。管理フレーム生成部４３は、接続要求の管理フレームを生成し（ステップＳ１：８０２．１１）、その管理フレームを、無線ＬＡＮ送信部４４を介してＡＰ２に対して送信する（ステップＳ２）。
【００１７】
ＡＰ２は、無線ＬＡＮ受信部２１においてフレームを受信すると、そのフレームを上りフレーム種別判定部２２に対して出力する（ステップＳ３）。上りフレーム種別判定部２２は、フレームヘッダのタイプ識別子を参照して受信フレームがデータフレームか管理フレームかを判定する（ステップＳ４）。図５の処理においては、接続要求の管理フレームを受信しているので、上りフレーム種別判定部２２は、その管理フレームを上り管理フレーム転送部２４に対して出力する（ステップＳ５）。上り管理フレーム転送部２４は、端末状態管理部２６に送信元端末の状態を問い合わせる（ステップＳ６）。
【００１８】
そして、問い合わせを受けた端末状態管理部２６は、送信元の端末識別子をキーとして端末状態テーブル（図７参照）を検索する（ステップＳ７）。図７は、ＡＰ２の端末状態管理部２６が持つ端末状態テーブルの構成例を示す図であり、端末識別子にはＡＰ２に接続中の端末の識別子が保持され、接続状態には各端末の状態が保持される。たとえば、送信元の端末が検出された場合は、その端末の接続状態を応答する（ステップＳ８）。一方、送信元の端末が検出されなかった場合は、未接続の状態であることを応答する（ステップＳ８）。
【００１９】
つぎに、上り管理フレーム転送部２４は、上記端末状態問合せの応答により未接続の状態であることが通知された場合、ＣＷＣ１による認証が必要であると判断する。図５の処理においては、未接続の状態を想定しているので、すなわち、端末３がＡＰサービス提供域に入り接続要求の管理フレームを送信する場合を想定しているので、認証が必要であると判断する。そして、接続要求の管理フレームの先頭にアクセス網内で伝送可能な８０２．３フレームヘッダを付与して（ステップＳ９）アクセス網送信部２５へ伝送を依頼し（ステップＳ１０）、アクセス網送信部２５が、上記で生成したアクセス網内で伝送可能な管理フレームをＣＷＣ１宛に送信する（ステップＳ１１）。
【００２０】
ＣＷＣ１は、アクセス網受信部１２において上記管理フレームを受信すると、その管理フレームを端末認証部１３に対して出力する（ステップＳ１２）。端末認証部１３は、接続受入端末管理部１１に接続可能かどうかを問い合わせる（ステップＳ１３）。接続受入端末管理部１１は、接続要求元の端末識別子をキーとして接続受入端末識別子テーブルを検索し（ステップＳ１４）、接続可能な端末として登録されている場合は接続可能である旨を応答し（ステップＳ１５）、登録されていない場合は接続不可である旨を応答する（ステップＳ１５）。そして、端末認証部１３は、接続応答の管理フレームを生成し（ステップＳ１６）、その管理フレームに８０２．３フレームヘッダを付与してアクセス網送信部１４へ伝送を依頼し（ステップＳ１７）、依頼を受けたアクセス網送信部１４が、アクセス網内で伝送可能な接続応答の管理フレームをＡＰ２宛に送信する（ステップＳ１８）。
【００２１】
ＡＰ２は、アクセス網受信部３１においてフレームを受信すると、そのフレームを下りフレーム種別判定部３０に対して出力する（ステップＳ１９）。下りフレーム種別判定部３０は、受信フレームに管理フレームヘッダが含まれているかどうかを確認することによりデータフレームか管理フレームかを判定する（ステップＳ２０）。図５の処理においては、接続応答の管理フレームを受信しているので、その管理フレームを下り管理フレーム転送部２８に対して出力する（ステップＳ２１）。
【００２２】
つぎに、下り管理フレーム転送部２８は、端末状態管理部２６に対して応答先端末の端末識別子と接続応答の内容を通知し、端末状態の更新を要求する（ステップＳ２２）。端末状態管理部２６は、接続応答の内容が、たとえば、接続可能である場合、端末状態テーブルのエントリーを新たに一つ追加し、端末識別子と接続状態を格納し（ステップＳ２３）、下り管理フレーム転送部２８に対して端末状態の更新完了を通知する（ステップＳ２４）。なお、接続不可の場合は、上記ステップＳ２３の更新処理は行われない。そして、下り管理フレーム転送部２８は、上記接続応答の管理フレームから８０２．３フレームヘッダを取り除いて（ステップＳ２５）無線ＬＡＮ送信部２７へ伝送を依頼し（ステップＳ２６）、依頼を受けた無線ＬＡＮ送信部２７が無線ＬＡＮ用の管理フレームを端末３に対して送信する（ステップＳ２７）。
【００２３】
端末３は、無線ＬＡＮ受信部４９で受信したフレームをフレーム種別判定部４８，管理フレーム受信部４６を介して接続状態管理部４５に対して出力する。接続状態管理部４５は、接続応答の内容が接続可能である場合、ＡＰ２と接続したと判断し、以降、データフレームの生成を許可する（ステップＳ２８）。なお、接続応答の内容が接続不可の場合、端末３はＡＰサービスを受けることができない。
【００２４】
つづいて、データフレームを、ＡＰ２を介して端末３と他網の通信相手との間で送受信する動作について説明する。図８は、データフレームが端末３と他網の通信相手との間で送受される場合のシーケンスの一例を示す図である。
【００２５】
まず、図８を用いて、端末３がＡＰ２を介して通信相手へデータフレームを送信する動作について説明する。たとえば、端末３のアプリケーション４１は、通信相手宛のデータを生成すると、そのデータの内容をデータフレーム生成部４２に対して出力する。データフレーム生成部４２は、接続状態管理部４５がデータフレームの生成を許可している場合に、８０２．１１データフレームを生成して（ステップＳ３１）、そのデータフレームを、無線ＬＡＮ送信部４４を介してＡＰ２に対して送信する（ステップＳ３２）。
【００２６】
ＡＰ２は、無線ＬＡＮ受信部２１においてフレームを受信すると、そのフレームを上りフレーム種別判定部２２に対して出力する（ステップＳ３３）。上りフレーム種別判定部２２は、フレームヘッダのタイプ識別子を参照して受信フレームがデータフレームか管理フレームかを判定する（ステップＳ３４）。図８の処理においては、端末３がデータフレームを送信しているので、そのデータフレームを上りデータフレーム転送部２３に対して出力する（ステップＳ３５）。
【００２７】
上記データフレームを受け取った上りデータフレーム転送部２３は、端末状態管理部２６に送信元端末の状態を問い合わせる（ステップＳ３６）。端末状態管理部２６は、送信元の端末の識別子をキーとして端末状態テーブルを検索し（ステップＳ３７）、たとえば、送信元端末が検出された場合はその端末の接続状態を応答する（ステップＳ３８）。一方、送信元端末が検出されなかった場合は、未接続状態であることを応答する（ステップＳ３８）。そして、上りデータフレーム転送部２３は、たとえば、端末状態が接続中であれば（ステップＳ３９）、データフレームの先頭にアクセス網内で伝送可能な８０２．３ヘッダを付加して（ステップＳ４０）アクセス網送信部２５へ伝送を依頼し（ステップＳ４１）、アクセス網送信部２５がアクセス網内で伝送可能なデータフレームを通信相手に対して送信する（ステップＳ４２）。
【００２８】
つづいて、同じく図８を用いて、端末３がＡＰ２を介して通信相手からのデータフレームを受信する動作について説明する。たとえば、通信相手の端末は、端末３宛にデータフレームを生成した場合（ステップＳ５１）、そのデータフレームを、アクセス網を介してＡＰ２に対して送信する（ステップＳ５２）。
【００２９】
ＡＰ２は、アクセス網受信部３１においてフレームを受信すると、そのフレームを下りフレーム種別判定部３０に対して出力する（ステップＳ５３）。下りフレーム種別判定部３０は、受信フレームに管理フレームヘッダが含まれているかどうかを確認することによりデータフレームか管理フレームかを判定する（ステップＳ５４）。図８においては、通信相手がデータフレームを送信しているので、下りフレーム種別判定部３０は、そのデータフレームを下りデータフレーム転送部２９に対して出力する（ステップＳ５５）。
【００３０】
上記データフレームを受け取った下りデータフレーム転送部２９は、端末状態管理部２６に対して宛先端末３の状態を問い合わせる（ステップＳ５６）。端末状態管理部２６は、宛先端末３の識別子をキーとして端末状態テーブルを検索し（ステップＳ５７）、たとえば、端末３が検出された場合、端末３の接続状態を応答する（ステップＳ５８）。一方、端末３が検出されなかった場合は、端末３が未接続状態であることを応答する（ステップＳ５８）。そして、下りデータフレーム転送部２９は、端末状態が接続中であれば（ステップＳ５９）、データフレームのヘッダを８０２．１１ヘッダに変換し（ステップＳ６０）、無線ＬＡＮ送信部２７へ伝送を依頼し（ステップＳ６１）、無線ＬＡＮ送信部２７が、受け取ったデータフレームを端末３に対して送信する（ステップＳ６２）。
【００３１】
端末３は、無線ＬＡＮ受信部４９で受信したデータフレームをフレーム種別判定部４８，データフレーム受信部４７を介してアプリケーション４１に対して出力する。
【００３２】
以上のように、本実施の形態においては、ＡＰ２が、端末３から受信したフレームの種別を判定し、たとえば、管理フレームの場合は、ＣＷＣ１宛にその管理フレームを送信し、一方で、データフレームの場合は、ＣＷＣ１を介さずに通信相手に対してデータフレームを送信することとした。また、ＡＰ２は、アクセス網を介して受け取った端末３宛の管理フレームおよびデータフレームを、フレームの送信元に依らずに端末３に対して送信することとした。これにより、ＣＷＣ１は、ユーザデータの伝送負荷を負うことなく、配下のＡＰ２を一元管理することができる。さらに、無線アクセスシステムのスループットを、ＣＷＣ１の処理速度性能に依存することなく規定することができる。また、ＣＷＣ１の処理速度性能を下げてシステムコストを削減することも可能となる。
【００３３】
なお、本実施の形態においては、ＣＷＣ１をＡＰ２と同一のアクセス網に配置したが、たとえば、ＣＷＣ１が他網に存在する場合であっても、ユーザデータの伝送負荷を負わない点については同様であるため、上記と同様の効果を得ることができる。
【００３４】
また、本実施の形態においては、ＣＷＣ１が有する認証機能のうち、接続受入端末識別子テーブルにより一意に接続可否判定を行う場合について説明したが、これに限らず、接続台数等の他の認証方法であっても、端末３とＣＷＣ１がＡＰ２を介して管理フレームの送受信を行う点については同様であるため、上記と同様の効果を得ることができる。
【００３５】
実施の形態２．
前述した実施の形態１においては、ＡＰ２とＣＷＣ１により無線アクセスシステムのセキュリティの確保や拡張性を実現しつつ、ユーザデータの伝送負荷を分散していたが、実施の形態２においては、それぞれの無線通信区間でＱｏＳを確保するような場合に、ＣＷＣ１がアプリケーションの種別情報を用いて接続可否判断を行う。
【００３６】
図９は、本発明にかかる通信方法を実現する無線アクセスシステムの実施の形態２の構成例を示す図である。図９において、本実施の形態の無線アクセスシステムは、無線アクセスサービスを提供するＣＷＣ１と、複数のＡＰ２−１，２−２，…と、基地局２−１に属して無線アクセスサービスを利用する音声通信用の端末３−１と、基地局２−２に属して無線アクセスサービスを利用するデータ通信用の端末３−２と、から構成されている。各端末３−１および３−２は、それぞれ基地局２−１および２−２のＡＰサービス提供域に存在するときに無線アクセスサービスを利用して他網の通信相手と通信を行うことができる。なお、ＣＷＣ、ＡＰおよび端末の構成については、前述した実施の形態１と同様である。
【００３７】
また、図１０−１は、ＣＷＣ１の接続受入端末管理部１１が持つ端末アプリケーションテーブルの構成例を示す図であり、図１０−２は、ＣＷＣ１の接続受入端末管理部１１が持つＡＰアプリケーションテーブルの構成例を示す図である。
【００３８】
ここで、上記無線アクセスシステムを構成する各装置の動作を、図面に従って詳細に説明する。本実施の形態では、前述した実施の形態１と異なる処理について説明する。なお、前提として、ＣＷＣ１の端末アプリケーションテーブルには、端末識別子とその端末上で動作するアプリケーションの種別情報とを保持しておく。また、ＣＷＣ１のＡＰアプリケーションテーブルには、ＡＰ識別子とそのＡＰにおいて接続を受け入れるアプリケーションの種別情報とを保持しておく。
【００３９】
この状態で、たとえば、前述した図５の管理フレームの送受信シーケンスと動作の異なる、ＣＷＣ１内の接続受入端末管理部１１の動作について説明する。接続受入端末管理部１１は、接続要求元の端末の識別子をキーとして端末アプリケーションテーブルを検索し、さらに、管理フレームを送信したＡＰの識別子をキーとしてＡＰアプリケーションテーブルを検索する。たとえば、両テーブルとも検索にヒットし（接続要求元端末およびＡＰが存在し）、その端末のアプリケーション種別とそのＡＰのアプリケーション種別とが一致した場合は、接続可能である旨を応答する。また、一致しない場合や検索にヒットしない場合は、接続不可である旨を応答する。
【００４０】
以上のように、本実施の形態においては、ＣＷＣ１が、端末上で動作するアプリケーション種別とＡＰで接続を受け入れるアプリケーション種別が一致する場合に、その端末が接続可能であると判断することとした。そして、各ＡＰが、特定のアプリケーションのデータフレームを送受信することとし、単一のＡＰサービス提供域には単一のＱｏＳ要件のユーザデータのみを存在させることとした。これにより、ＡＰと端末は、ＱｏＳ要件の異なる他のデータトラヒックにより送受信を阻害されることなく、データを送受信することができるので、無線通信区間のＱｏＳを確保することが可能となる。
【００４１】
実施の形態３．
前述した実施の形態２においては、端末上で動作するアプリケーションの種別情報をＣＷＣ１に保持させることによりＱｏＳを確保していたが、実施の形態３においては、端末が、自端末で動作するアプリケーション種別情報を取得し、取得したアプリケーション種別を、ＡＰを介してＣＷＣに伝えることによりＱｏＳを確保する。なお、無線アクセスシステムの構成については、前述した実施の形態２の図９と同様である。
【００４２】
図１１は、端末３（３−１，３−２）の実施の形態３の構成例を示す図であり、前述した実施の形態１の図４に加えて、さらに、アプリケーション種別取得部５１を備えている。なお、ＣＷＣ、ＡＰの構成については、前述した実施の形態２と同様である。
【００４３】
ここで、上記無線アクセスシステムを構成する各装置の動作を、図面に従って詳細に説明する。本実施の形態では、前述した実施の形態１および２と異なる処理について説明する。なお、前提として、ＣＷＣ１のＡＰアプリケーションテーブルには、ＡＰ識別子とそのＡＰにおいて接続を受け入れるアプリケーションの種別情報とを保持しておく。
【００４４】
この状態で、たとえば、前述した図５の管理フレームの送受信シーケンスと動作の異なる、端末３（３−１，３−２）の動作、およびＣＷＣ１内の接続受入端末管理部１１の動作について説明する。端末３では、アプリケーション種別取得部５１が、自端末で動作するアプリケーションの種別を取得し、さらに、管理フレーム生成部４３が、接続要求の管理フレームを生成する際、その管理フレームに付加情報として上記で取得したアプリケーション種別を付与する。そして、ＣＷＣ１の接続受入端末管理部１１は、上記で生成された接続要求の管理フレームを伝送してきたＡＰ２（２−１，２−２）の識別子をキーとしてＡＰアプリケーションテーブルを検索する。たとえば、検索にヒットし（該当するＡＰが存在し）、受け取った管理フレームに付与されたアプリケーション種別とＡＰ２のアプリケーション種別とが一致した場合は、接続可能である旨を応答する。また、一致しない場合や検索にヒットしない場合は、接続不可である旨を応答する。
【００４５】
以上のように、本実施の形態においては、端末が、アプリケーション種別を、ＡＰを介してＣＷＣに伝えることとした。そして、ＣＷＣは、ＡＰアプリケーションテーブルの情報のみを保持し、端末の接続受入可否を判定することとした。これにより、無線アクセスシステムにおいて動作する端末が増えた場合であっても、ＣＷＣにおいて保持する情報を更新することなく、前述した実施の形態２と同様の効果を得ることができる。
【００４６】
実施の形態４．
前述した実施の形態３においては、端末がアプリケーション種別をＣＷＣに伝えてＱｏＳを確保するようにしたが、実施の形態４においては、ＡＰが、伝送するデータフレームの内容からアプリケーション種別を判定し、その判定結果をＣＷＣに伝えることによりＱｏＳを確保する。なお、無線アクセスシステムの構成については、前述した実施の形態２の図９と同様である。また、ＣＷＣ、ＡＰおよび端末の構成については、前述した実施の形態２と同様である。
【００４７】
図１２は、ＡＰがデータフレームの内容からアプリケーション種別を判定するシーケンスの一例を示す図である。本実施の形態では、前述した実施の形態１〜３と異なる処理について説明する。なお、前提として、ＣＷＣ１のＡＰアプリケーションテーブルには、ＡＰ識別子とそのＡＰにおいて接続を受け入れるアプリケーションの種別情報とを保持しておく。
【００４８】
ＡＰ２（２−１，２−２）の上りデータフレーム転送部２３は、アクセス網送信部２５へデータフレームの伝送を依頼した後、端末が生成したデータフレームのアプリケーション種別を判定する（ステップＳ７１）。なお、ここでのアプリケーション種別の判定方法については、特に限定しないが、たとえば、データフレーム長が予め定められた一意の値である場合は、音声通信端末のアプリケーション４１がデータを生成したと判定する。また、アプリケーション種別の変化を検出した場合には、そのアプリケーション種別を上り管理フレーム転送部２４に対して出力する（ステップＳ７２）。上り管理フレーム転送部２４は、ＣＷＣ１宛に上記で判定したアプリケーション種別を含ませたアプリ判定要求フレーム（管理フレームの一つ）を生成し（ステップＳ７３）、アクセス網送信部２５へ伝送を依頼し（ステップＳ７４）、アクセス網送信部２５がそのアプリ判定要求フレームをＣＷＣ１に対して送信する（ステップＳ７５）。
【００４９】
ＣＷＣ１は、アクセス網受信部１２にて上記管理フレームを受信すると、その管理フレームを端末認証部１３に対して出力し（ステップＳ７６）、端末認証部１３は、接続受入端末管理部１１に接続を継続してよいかどうかを問い合わせる（ステップＳ７７）。接続受入端末管理部１１は、ＡＰ２の識別子をキーとしてＡＰアプリケーションテーブルを検索する（ステップＳ７８）。たとえば、検索にヒットし（該当するＡＰが存在し）、管理フレームに付与されたアプリケーション種別とＡＰ２のアプリケーション種別とが一致した場合は、接続の継続が可能である旨を応答する（ステップＳ７９）。また、一致しない場合や検索にヒットしない場合は、接続の継続が不可である旨を応答する（ステップＳ７９）。具体的には、端末認証部１３は、たとえば、接続の継続が不可の場合、接続応答の管理フレームとして、切断を指示する管理フレーム（切断指示管理フレーム）を生成し、８０２．３フレームヘッダを付与して（ステップＳ８０）、アクセス網送信部１４へ伝送を依頼し（ステップＳ８１）、アクセス網送信部１４が受け取った管理フレームをＡＰ２宛に送信する（ステップＳ８２）。
【００５０】
ＡＰ２の下り管理フレーム転送部２８は、端末状態管理部２６に指示先端末の端末識別子と切断指示の内容とを送り、端末状態の更新を要求する（ステップＳ８３）。端末状態管理部２６は、端末識別子をキーに端末状態テーブルを検索し、該当するエントリーを削除する（ステップＳ８４）。そして、下り管理フレーム転送部２８は、受け取った切断指示管理フレームから８０２．３フレームヘッダを取り除いて（ステップＳ８５）無線ＬＡＮ送信部２７へ伝送を依頼する（ステップＳ２６）。
【００５１】
以上のように、本実施の形態においては、ＡＰがデータフレームの内容からアプリケーション種別を判定し、ＣＷＣ１に伝えることとした。そして、ＣＷＣは、ＡＰアプリケーションテーブルの情報のみを保持し、この情報に基づいて端末の接続継続可否を判定することとした。これにより、無線アクセスシステムにおいて動作する端末がアプリケーション種別をＣＷＣに伝えることなく、前述した実施の形態２および３と同様の効果を得ることができる。
【００５２】
なお、本実施の形態においては、ＡＰが、上りデータフレームの内容からアプリケーション種別を判定したが、これに限らず、ＡＰが、下りデータフレームの内容からアプリケーション種別を判定することとしてもよい。この場合についても、上記と同様の効果を得ることができる。
【００５３】
実施の形態５．
前述した実施の形態４においては、ＡＰがデータフレームの内容からアプリケーション種別を判定してＣＷＣに伝えることによって、ＱｏＳを確保するようにしたが、実施の形態５においては、端末がデータフレームの内容からアプリケーション種別を判定し、ＡＰを介してＣＷＣに伝えることによってＱｏＳを確保する。なお、無線アクセスシステムの構成については、前述した実施の形態２の図９と同様である。また、ＣＷＣ、ＡＰおよび端末の構成については、前述した実施の形態３と同様である。
【００５４】
ここで、上記無線アクセスシステムを構成する各装置の動作を、図面に従って詳細に説明する。本実施の形態では、前述した実施の形態１〜４と異なる処理について説明する。なお、前提として、ＣＷＣ１のＡＰアプリケーションテーブルには、ＡＰ識別子とそのＡＰにおいて接続を受け入れるアプリケーションの種別情報とを保持しておく。
【００５５】
たとえば、端末３（３−１，３−２）のデータフレーム生成部４２は、アプリケーション部４１が生成したデータのアプリケーション種別を判定する。なお、アプリケーション種別の判定方法は限定しないが、たとえば、データフレーム長が予め定められた一意の値である場合は、音声通信端末のアプリケーション４１がデータを生成したと判定する。データフレーム生成部４２は、判定結果として得られるアプリケーション種別をアプリケーション種別取得部５１に対して出力する。アプリケーション種別取得部５１は、アプリケーション種別の変化を検出した場合には、管理フレーム生成部４３に対してその旨を通知する。管理フレーム生成部４３は、ＣＷＣ１宛に上記判定結果であるアプリケーション種別を付与したアプリ判定要求管理フレームを生成し、無線ＬＡＮ送信部４４へ伝送を依頼し、無線ＬＡＮ送信部４４がそのフレームをＡＰ２に対して送信する。
【００５６】
以上のように、本実施の形態においては、端末がデータフレームの内容からアプリケーション種別を判定し、ＡＰを介してＣＷＣに伝えることとした。そして、ＣＷＣが、ＡＰアプリケーションテーブルの情報のみを保持し、その情報に基づいて端末の接続継続可否を判定することとした。これにより、複数種類のアプリケーションを動作させることのできる端末が無線アクセスシステム内で動作する場合であっても、前述した実施の形態２〜４と同様の効果を得ることができる。
【００５７】
実施の形態６．
前述した実施の形態６においては、端末がデータフレームの内容からアプリケーション種別を判定してＣＷＣに伝えることによりＱｏＳを確保するようにしたが、実施の形態６においては、端末が、動作するアプリケーションが切り替わったことを検出し、その検出結果をＣＷＣに伝えることによりＱｏＳを確保する。なお、無線アクセスシステムの構成については、前述した実施の形態２の図９と同様である。
【００５８】
図１３は、端末３（３−１，３−２）の実施の形態６の構成例を示す図であり、前述した実施の形態３の図１１に加えて、さらに、アプリケーションハンドラ６１を備えている。なお、ＣＷＣ、ＡＰの構成については、前述した実施の形態２〜５と同様である。
【００５９】
ここで、上記無線アクセスシステムを構成する各装置の動作を、図面に従って詳細に説明する。本実施の形態では、前述した実施の形態１〜５と異なる処理について説明する。
【００６０】
端末３（３−１，３−２）のアプリケーションハンドラ６１は、複数起動されたアプリケーション４１のうちアクティブに動作するものが端末の使用者により変更された場合、変更後のアプリケーション種別をアプリケーション種別取得部５１に対して通知する。なお、アプリケーション種別取得部５１においてアプリケーション種別の変化を検出する動作以降については、前述した実施の形態５と同様である。
【００６１】
以上のように、本実施の形態においては、端末がアプリケーションの切り替えを検出し、その検出結果を、ＡＰを介してＣＷＣに伝えることとした。そして、ＣＷＣが、ＡＰアプリケーションテーブルの情報のみを保持し、その情報に基づいて端末の接続継続可否を判定することとした。これにより、複数種類のアプリケーションを動作させることのできる端末が無線アクセスシステム内で動作する場合であっても、前述した実施の形態２〜４と同様の効果を得ることができる。
【００６２】
実施の形態７．
前述した実施の形態２、３、４、５および６においては、アプリケーション種別をＣＷＣに伝えることによりＱｏＳを確保するようにしていたが、実施の形態７においては、ＡＰが、受入可能なアプリケーション種別を端末に報知することによりＱｏＳを確保する。なお、無線アクセスシステムの構成については、前述した実施の形態２の図９と同様である。また、ＣＷＣ、ＡＰおよび端末の構成については、前述した実施の形態６と同様である。
【００６３】
図１４は、ＣＷＣが持つＡＰアプリケーションテーブルの内容をＡＰに伝えるシーケンスと、ＡＰがビーコンフレームを生成して端末に報知するシーケンス、の一例を示す図である。本実施の形態では、前述した実施の形態１〜６と異なる処理について説明する。なお、前提として、ＣＷＣ１のＡＰアプリケーションテーブルには、ＡＰ識別子とそのＡＰにおいて接続を受け入れるアプリケーションの種別情報とを保持しておく。
【００６４】
まず、ＣＷＣ１がＡＰ２（２−１，２−２）にアプリケーションテーブル情報を伝える動作について説明する。ＣＷＣ１において、接続受入端末管理部１１は、ＡＰアプリケーションテーブルが書き換えられると（ステップＳ９１）、ビーコンに付加する情報の内容の変更を端末認証部１３に指示する（ステップＳ９２）。端末認証部１３は、ビーコン付加情報の内容を指示する管理フレームを生成し、８０２．３フレームヘッダを付与して（ステップＳ９３）、アクセス網送信部１４に送信を依頼し（ステップＳ９４）、アクセス網送信部１４がＡＰ２に対してその管理フレームを送信する（ステップＳ９５）。
【００６５】
ＡＰ２は、アクセス網受信部３１においてフレームを受信すると、その受信フレームを下りフレーム種別判定部３０に対して出力する（ステップＳ９６）。下りフレーム種別判定部３０は、受信フレームに管理フレームヘッダが含まれているかどうかを確認してデータフレームか管理フレームかを判定する（ステップＳ９７）。図１４においては、ＣＷＣ１が管理フレームを送信しているので、その管理フレームを、下り管理フレーム転送部２８に対して出力する（ステップＳ９８）。そして、下り管理フレーム転送部２８は、ビーコン付加情報を取り出して保持する（ステップＳ９９）。
【００６６】
つづいて、ＡＰ２が一定周期でＡＰサービス提供域に存在する全ての端末３（３−１，３−２）に対してビーコンフレームを送信する動作について説明する。ＡＰ２の下り管理フレーム転送部２８は、たとえば、１秒おきに、ビーコンフレームを生成する（ステップＳ１００）。その際、保持しているビーコン付加情報をビーコンフレームの末尾に付加する。そして、下り管理フレーム転送部２８は、生成したビーコンフレームの伝送を無線ＬＡＮ送信部２７へ依頼し（ステップＳ１０１）、無線ＬＡＮ送信部２７がそのビーコンフレームをＡＰサービス提供域に存在する全ての端末３に対して送信する（ステップＳ１０２）。
【００６７】
端末３は、無線ＬＡＮ受信部４９において受信したフレームをフレーム種別判定部４８、管理フレーム受信部４６を介して接続状態管理部４５へ送る。接続状態管理部４５は、ビーコンに付加されたＡＰ２が受入可能なアプリケーションの情報を保持する。
【００６８】
つづいて、端末３が接続要求を行うかどうかを判定する動作について説明する。図１５は、端末３の管理フレーム生成部４３における接続要求フレーム送信処理フローの一例を示す図である。
【００６９】
端末３において、管理フレーム生成部４３は、まず、接続状態管理部４５からビーコン付加情報を取得する（ステップＳ１１１）。つぎに、管理フレーム生成部４３は、アプリケーション種別取得部５１から自端末が送受するアプリケーション種別を取得する（ステップＳ１１２）。つぎに、管理フレーム生成部４３は、取得した両情報を比較し（ステップＳ１１３）、一致する場合は（ステップＳ１１３，一致）、上記でビーコンを送信したＡＰ２への接続が可能であると判定して、接続要求管理フレームの生成（ステップＳ１１４）と、その接続要求管理フレームの送信依頼（ステップＳ１１５）と、を実行する。一方で、両情報が一致しない場合は（ステップＳ１１３，不一致）、他のＡＰへの接続を行う必要があるため、他のビーコンフレームの到着を待つ。
【００７０】
以上のように、本実施の形態においては、ＣＷＣが、ＡＰアプリケーションテーブルの内容をＡＰに伝え、ＡＰが、受入可能なアプリケーション種別をビーコン付加情報として端末に対して報知することとした。これにより、端末が、複数のＡＰの中から接続すべきＡＰを自律的に決定することができ、さらに、ＡＰから拒絶されないように接続要求を送信することができる。したがって、前述した実施の形態２〜６と同様の効果を得ることができるとともに、さらに、ＡＰと端末との間の接続所要時間を短縮することができる。
【産業上の利用可能性】
【００７１】
以上のように、本発明にかかる通信方法は、無線通信アクセスシステムを構成する基地局、無線区間制御装置および端末に有用であり、特に、無線ＬＡＮシステムの構成する基地局、ＣＷＣおよび端末に適している。
【図面の簡単な説明】
【００７２】
【図１】本発明にかかる通信方法を実現する無線アクセスシステムの実施の形態１の構成例を示す図である。
【図２】ＣＷＣの構成例を示す図である。
【図３】ＡＰの構成例を示す図である。
【図４】端末の構成例を示す図である。
【図５】管理フレームがＡＰを介して端末とＣＷＣとの間で送受される場合のシーケンスの一例を示す図である。
【図６】ＣＷＣの接続受入端末管理部が持つ接続受入端末識別子テーブルの構成例を示す図である。
【図７】ＡＰの端末状態管理部が持つ端末状態テーブルの構成例を示す図である。
【図８】データフレームが端末と他網の通信相手との間で送受される場合のシーケンスの一例を示す図である。
【図９】本発明にかかる通信方法を実現する無線アクセスシステムの実施の形態２の構成例を示す図である。
【図１０−１】ＣＷＣの接続受入端末管理部が持つ端末アプリケーションテーブルの構成例を示す図である。
【図１０−２】ＣＷＣの接続受入端末管理部が持つＡＰアプリケーションテーブルの構成例を示す図である。
【図１１】端末の構成例を示す図である。
【図１２】ＡＰがデータフレームの内容からアプリケーション種別を判定するシーケンスの一例を示す図である。
【図１３】端末の構成例を示す図である。
【図１４】ＣＷＣが持つＡＰアプリケーションテーブルの内容をＡＰに伝えるシーケンスと、ＡＰがビーコンフレームを生成して端末に報知するシーケンス、の一例を示す図である。
【図１５】端末の管理フレーム生成部における接続要求フレーム送信処理フローの一例を示す図である。
【符号の説明】
【００７３】
１  制御プレンワイヤレスコントローラ（ＣＷＣ）
２，２−１，２−２  無線基地局（ＡＰ）
３，３−１，３−２  端末
１１  接続受入端末管理部
１２  アクセス網受信部
１３  端末認証部
１４  アクセス網送信部
２１  無線ＬＡＮ受信部
２２  上りフレーム種別判定部
２３  上りデータフレーム転送部
２４  上り管理フレーム転送部
２５  アクセス網送信部
２６  端末状態管理部
２７  無線ＬＡＮ送信部
２８  下り管理フレーム転送部
２９  下りデータフレーム転送部
３０  下りフレーム種別判定部
３１  アクセス網受信部
４１  アプリケーション
４２  データフレーム生成部
４３  管理フレーム生成部
４４  無線ＬＡＮ送信部
４５  接続状態管理部
４６  管理フレーム受信部
４７  データフレーム受信部
４８  フレーム種別判定部
４９  無線ＬＡＮ受信部
５１  アプリケーション種別取得部
６１  アプリケーションハンドラ
【図１】
2006304117.tif 000003
【図２】
2006304117.tif 000004
【図３】
2006304117.tif 000005
【図４】
2006304117.tif 000006
【図５】
2006304117.tif 000007
【図６】
2006304117.tif 000008
【図７】
2006304117.tif 000009
【図８】
2006304117.tif 000010
【図９】
2006304117.tif 000011
【図１０−１】
2006304117.tif 000012
【図１０−２】
2006304117.tif 000013
【図１１】
2006304117.tif 000014
【図１２】
2006304117.tif 000015
【図１３】
2006304117.tif 000016
【図１４】
2006304117.tif 000017
【図１５】
2006304117.tif 000018